(57)【要約】【課題】オーダーデータ保存部の残容量が少なくなってきた場合でも、優先度の高い新規のオーダを確実に保存できるプリント処理システムを提供する。【解決手段】写真プリントを作成するための画像データを含むオーダーデータをオーダー単位で保存するスプーラ６ａと、プリント処理の優先度をオーダーごとに設定可能な優先度設定部５ｅと、新規オーダーに係るオーダーデータを設定された優先度と共にオーダーデータ保存部に登録・保存させるためのオーダー登録部５ａと、スプーラ６ａに保存されているオーダーデータに対するプリント処理を指令するプリント処理制御部５ｂと、  高優先度の新規オーダーを登録しようとする時にオーダーデータ保存部の残容量レベルを判定する残容量判定部５ｄと、残容量レベルが少ないと判定された場合に、オーダーデータ保存部に保存済みの低優先度オーダーを選択し、データ圧縮処理を行う圧縮処理部１８ａとを備えている。【選択図】図２
2007094965.tif 000002
【特許請求の範囲】
【請求項１】
写真プリントを作成するための画像データを含むオーダーデータをオーダー単位で保存するオーダーデータ保存部と、
プリント処理の優先度をオーダーごとに設定可能な優先度設定部と、
新規オーダーに係るオーダーデータを設定された優先度と共にオーダーデータ保存部に登録・保存させるためのオーダー登録部と、
オーダーデータ保存部に保存されているオーダーデータに対するプリント処理を指令するプリント処理制御部と、
高優先度の新規オーダーを登録しようとする時にオーダーデータ保存部の残容量レベルを判定する残容量判定部と、
残容量レベルが少ないと判定された場合に、オーダーデータ保存部に保存済みの低優先度オーダーを選択する低優先度オーダー選択部と、
選択されたオーダーデータのデータ圧縮処理を行う圧縮処理部とを備えていることを特徴とするプリント処理システム。
【発明の詳細な説明】
【技術分野】
【０００１】
本発明は、写真プリントを作成するための画像データを含むオーダーデータをオーダー単位で保存するオーダーデータ保存部を有し、オーダーデータ保存部の保存容量が少ない場合でも優先度の高いオーダーをオーダーデータ保存部に保存可能なプリント処理システムに関するものである。
【背景技術】
【０００２】
写真プリントを作成するプリント処理システムにおいては、適宜の画像形成媒体から画像データを取得し、オーダー単位でオーダーデータ保存部に一旦保存される。ここで、１オーダーとは、ネガフィルム１本に含まれる画像データ、記録メディア１個に格納される画像データのことを指す。従前は、画像形成媒体としての現像済みネガフィルムに形成されているコマ画像をフィルムスキャナーで読み取り、この読み取られた画像データに基づいて、写真プリントを作成するケースが多かった。
【０００３】
しかしながら、近年においてはデジタルカメラがかなり普及してきており、デジタルカメラにより撮影された画像に基づいて、写真プリントの依頼を受けるようなケースが多くなって来ている。かかるプリント処理の注文において、写真店へ顧客が持参するデジタルカメラの記録メディアから画像データを取得するケースの他、インターネット等のネットワークを介して注文に係る画像データを取得するケースも多くなって来ている。また、近年のデジタルカメラでは、有効画素数が増大してきており、１枚あたりの画像データのデータサイズが大きくなって来ている。更に、ＪＰＥＧ圧縮による画質の劣化を避けるために、画像データをｒａｗファイルや非圧縮のＴＩＦＦファイルで保存するケースも増えてきており、オーダーデータのサイズも大きくなる方向に移行している。
【０００４】
このように、同じ写真店において、種々の形態の写真プリントの注文が行なわれることで一時的に多数のプリント処理を行なわなければならないことや、処理対象の画像データのサイズが大きくなっていることに起因して、オーダーデータ保存部（通常ハードディスクにより構成される）の保存容量が一時的に不足する事態が生じている。保存容量が不足してくると、新規のオーダーを保存しようとしてもできないため、保存容量が空くまで待たなければならないことがあった。従って、新規オーダーとして優先度の高い特急仕上げを顧客から指定されていた場合、オーダーデータを保存できないため、指定された納期を遵守できないという問題があった。
【０００５】
データを保存する保存部の残容量が少なくなった場合の課題を解決した先行技術として、下記特許文献１に開示される撮像装置が知られている。この撮像装置は、使用中のメモリカードに対する記録済み容量が満杯状態に達したことを検出する機能を設け、満杯状態を検出すると記録済み画像データの記録画質を変更するようにしている。記録画質としては高画質、標準画質、低画質が例示されている。
【０００６】
また、下記特許文献２に開示される情報記憶装置（デジタルカメラ等）は、ハードディスクやメモリカード等に保存された画像データを削除することなく、記憶可能枚数を増やすことができ、具体的には新規画像データを保存しようとするとき、残容量が少ないと、保存されている画像データを圧縮処理するものである。
【０００７】
【特許文献１】特開２００３−３１９３２１号公報
【特許文献２】特開２００２−２３７１４１号公報
【発明の開示】
【発明が解決しようとする課題】
【０００８】
しかしながら、上記特許文献１，２に開示される技術を本発明のようなプリント処理システムに応用すると、次のような問題点が生じる。プリント処理システムで作成される写真プリントには、所定レベルの画質が要求されるため、特許文献１のように保存容量を確保するためにあえて低画質で画像データを保存することは写真プリントの画質低下となるため好ましくない。また、特許文献２のように画像データを圧縮処理する場合には、圧縮処理を行うための処理時間が必要である。従って、係る処理時間を要することで、プリント処理の効率を低下させないようにする必要がある。画像データを圧縮処理すれば確かに保存容量を増やすことができるが、プリント処理システムで扱う画像データは１枚単位ではなくオーダー単位（画像データが数十枚になることもある）であるため、新規オーダーを保存するためには、まとまった単位の保存容量が必要である。
【０００９】
上記課題を解決するため本発明に係るプリント処理システムは、オーダーデータ保存部の残容量が少なくなってきた場合でも、優先度の高い新規のオーダを確実に保存できるプリント処理システムを提供することである。
【課題を解決するための手段】
【００１０】
上記課題を解決するため本発明に係るプリント処理システムは、
写真プリントを作成するための画像データを含むオーダーデータをオーダー単位で保存するオーダーデータ保存部と、
プリント処理の優先度をオーダーごとに設定可能な優先度設定部と、
新規オーダーに係るオーダーデータを設定された優先度と共にオーダーデータ保存部に登録・保存させるためのオーダー登録部と、
オーダーデータ保存部に保存されているオーダーデータに対するプリント処理を指令するプリント処理制御部と、
高優先度の新規オーダーを登録しようとする時にオーダーデータ保存部の残容量レベルを判定する残容量判定部と、
残容量レベルが少ないと判定された場合に、オーダーデータ保存部に保存済みの低優先度オーダーを選択する低優先度オーダー選択部と、
選択されたオーダーデータのデータ圧縮処理を行う圧縮処理部とを備えていることを特徴とするものである。
【００１１】
かかる構成によるプリント処理システムの作用・効果を説明する。オーダーデータ保存部には、オーダーデータがオーダー単位で保存される。ここで、オーダーデータには少なくとも画像データが含まれる。また、プリント処理の優先度をオーダーごとに設定することができる。優先度とは、仕上がり納期に関するものであり「特急仕上げ」「通常仕上げ」などである。新規オーダーをオーダーデータ保存部に登録する場合には、優先度データと共に登録・保存される。プリント処理制御部は、オーダーデータ保存部に保存されているオーダーデータに対してプリント処理を指令する。すなわち、プリント処理の対象となる画像データは、オーダーデータ保存部に保存された後、プリント処理が行われることになるため、オーダーデータ保存部にデータが保存できないとプリント処理を行うことができない仕組みとなっている。
【００１２】
ここで、優先度の高い新規オーダーを登録しようとするときに、オーダーデータ保存部の残容量を判定し、残容量レベルが少ない場合には、オーダーデータ保存部に保存済みの低優先度オーダーを選択し、圧縮処理を行なう。選択されるオーダーは１つもしくは複数であり、登録しようとする新規オーダーのデータ量により決めることが好ましい。かかる圧縮処理はオーダー単位で行うものであり、保存済みオーダーデータのデータ量を効果的に減少させ、高優先度の新規オーダーを登録することができる。また、低優先度のオーダーについて圧縮処理を行なうものであるから、圧縮処理や解凍処理を行うための処理時間が顧客引渡し時間に対して与える影響は少ないものと考えられる。その結果、オーダーデータ保存部の残容量が少なくなってきた場合でも、優先度の高い新規のオーダーを確実に保存できるプリント処理システムを提供することができる。
【発明を実施するための最良の形態】
【００１３】
本発明に係る写真処理システムの好適な実施形態を図面を用いて説明する。図１は、システム全体の構成を示す模式図である。
【００１４】
＜システムの全体構成＞
図１において、写真処理装置１００は、取得されたデジタルの画像データに基づいて、写真プリントを作成する機能を有する。画像データは、写真処理装置１００に設けられるフィルムスキャナーから取得される現像済みネガフィルムのコマ画像の画像データや、ネットワーク経由で送信されてくる画像データなどがあげられる。
【００１５】
受付端末２０は、店頭に設置され、デジタルカメラの記録メディアやその他の記録メディアに格納された画像データを受け付けることができる。記録メディアの種類としては、コンパクトフラッシュ（登録商標）、スマートメディア（登録商標）、メモリスティック（登録商標）、ＣＤ−Ｒ、ＤＶＤ−Ｒなどが例としてあげられる。受付端末２０は、主として顧客により操作されるものであり、顧客が自分で持参した記録メディアを挿入し、プリント処理の対象となる画像データの選択、プリント枚数、プリントサイズの設定などを行うことができる。もちろん、店員が受付端末２０を操作するようにしてもよい。
【００１６】
記録装置４０は、写真処理装置１００が取得した画像データをＣＤ−Ｒ、ＤＶＤ−Ｒ等の記録メディアに書き込む機能を有する。ネット受付端末５０（パソコンにより構成）は、インターネット経由でのプリント注文に係る画像データを受け付ける機能を有する。写真処理装置１００、受付端末２０、記録装置４０、ネット受付端末５０は、ネットワーク（例えば、ＬＡＮ）により接続されている。また、写真処理装置１００、受付端末２０、記録装置４０、ネット受付端末５０の設置台数は１台に限定されるものではなく、必要に応じて複数台を設置することができる。
【００１７】
インターネット上に設置されるサーバー６０は、オンラインでのプリント注文を受け付ける機能を提供する。プリント注文を行なう場合は、インターネットに接続されるパソコン７０から、プリント処理に係る画像データをアップロードすると、サーバー６０に画像データが保存される。ネット受付端末５０から、当該画像データをサーバー６０からダウンロードすることで、プリント処理を行なうことができる。オンラインでプリント処理を受け付けるシステムについては、公知のシステムを利用することができる。
【００１８】
＜写真処理システムの機能ブロック構成＞
図２は、写真処理システムの中心をなす写真処理装置１００の機能を示すブロック図である。フィルムスキャナー１は、現像済みネガフィルム（写真フィルム）に形成されているコマ画像をスキャニングしてデジタルの画像データを取得する。画像取得部２は、主としてネットワーク経由で送信されてくる画像データを取得する。ネットワークを介して通信を行なうために通信制御部３が設けられる。画像取得部２が取得する画像データは、デジタルカメラの記録メディアに格納されていた画像データや、インターネットサーバー６０に保存されていた画像データである。なお、写真処理装置１００自身に記録メディアを装着することができるようにし、直接記録メディアから画像データを取得できるように構成してもよい。
【００１９】
＜画像判定部の構成＞
画像判定部４は、取得した画像データに対する判定をオペレータが行なうための機能を提供し、かかる機能は主としてソフトウェアにより提供される。これは、画像データに基づいて写真プリントを作成する前に、適切な画質の写真プリントが作成されるか否かを判定するものであり、かかる作業をプレジャッジと称することとする。画像判定部４には、補正データ設定部４ａ、プリントデータ設定部４ｂ、サムネイル画像設定部４ｃが主たる機能として設けられており、これを図３を参照しながら説明する。なお、プレジャッジは必ず行なわなければならないものではなく、プレジャッジを省略してプリント処理を行うことも可能である。
【００２０】
図３は、プレジャッジを行なうためのモニター画面の構成例を示す図である。画面には、プリント処理の対象となるコマ画像が６コマごとに表示される。プレジャッジの対象となっているコマ画像は、画像選択枠３０で囲まれた状態となっている。コマ画像のコマ番号はコマ番号表示欄３１に表示される。写真プリントのプリントサイズについては、プリントサイズ表示欄３２に表示される。プリント枚数は、プリント枚数設定欄３３にて設定することができる。色補正データ設定欄３４と、濃度補正データ設定欄３５には、色や濃度の補正データを入力することができる。補正データ設定部４ａは、上記のような色や濃度を補正するための補正データを入力する機能を提供するものであり、かかる補正データの入力は必要に応じて設定される。その他の補正データの設定としては、赤目補正、逆光補正などの特殊補正の設定が例としてあげられる。
【００２１】
プリント枚数の設定としては、フィルムスキャナー１から取得した画像データに関してはデフォルトで１が設定されているが、オペレータの入力操作により変更することができる。また、ネットワーク経由で取得した画像データについては、顧客により注文にかかるプリント枚数が既に設定されているため、オペレータにより設定変更できないようにすることが好ましい。このプリント枚数の設定データは、プリントデータに含まれるものであり、プリントデータ設定部４ｂの機能により提供される。プリントデータには、プリント枚数の他にプリントサイズ、ペーパー面質（光沢面や絹目など）、縁有りプリントか否かについても含まれるものとする。
【００２２】
図３に示されるコマ画像は、サムネイル画像であり、取得した画像データを縮小処理することで得られるものである。画像取得部２が取得した画像データの場合は、取得したオリジナルの画像データに基づいてサムネイル画像を作成することができる。フィルムスキャナー１からネガフィルムの画像データを取得する場合は、ネガフィルムをプレスキャンした画像データに基づいて、サムネイル画像を作成することができる。
【００２３】
ここで、ネガフィルムのスキャニング態様であるプレスキャンと本スキャンについて説明する。プレスキャンとは、現像済みネガフィルムの画像を粗い画素数で読み取る処理のことであり、前述のサムネイル画像を表示させるために行われる。プレジャッジを行う場合は、高解像度の画像データが不要であり、読み取り処理時間を短縮化するために、粗い画素数でスキャニングする。
【００２４】
本スキャンとは、ネガフィルムの各コマ画像を高解像度で読み取るための処理であり、実際に写真プリントを作成するために用いられる画像データである。画質のよい写真プリントを作成するために高解像度でコマ画像を読み取る。また、本スキャンの際には、プリント枚数が０と設定されたコマ画像については、読み取りを行わない。
【００２５】
＜オーダー制御部の構成＞
オーダー制御部５は、プリント処理すべき画像データをオーダー単位に管理する機能を提供する。ここで１オーダーとは、フィルム１本分あるいは記録メディア１個分についてのプリント注文に係る画像データ群を指すものであるが、これに限定されるものではなく、１オーダーの概念はオペレータにより適宜設定することができる。
【００２６】
オーダー登録部５ａは、画像判定部４によりプレジャッジの終了したオーダーデータを記憶装置６に登録・保存する機能を有する。記憶装置６は概念的に、スプーラ６ａ（オーダーデータ保存部に相当）と呼ばれる部分と、その他の記憶部６ｂとで構成される。プリント処理すべきオーダーデータは、すべてスプーラ６ａに保存される。従って、スプーラ６ａにオーダーデータを保存することでオーダーの管理を行なうことができ、プリント処理の順番や割り込みなどの制御を行なうことができる。スプーラ６ａと、記憶部６ｂは、いずれもハードディスクのような大容量記憶装置により構成することができるが、スプーラ６ａと記憶部６ｂは、ハードウェア的に別々のハードディスクにより構成してもよいし、１つのハードディスクの記憶領域を分割して、スプーラ６ａとして機能する領域と、それ以外の領域を形成してもよい。
【００２７】
なお、オーダーデータとは１オーダー分のデータのことを指すが、１オーダーに含まれる画像データ群と、プレジャッジにより設定された補正データやプリント枚数などのプリントデータ、オーダーを特定するデータ（オーダー識別ＩＤ、顧客の氏名、住所、会員ＩＤなどのデータ）により構成される。ただし、オーダーデータのデータ量は大半が画像データにより決まるため、オーダーデータのデータ量は画像データのデータ量であると考えても問題はない。なお、ネガフィルムから取得した画像データの場合には、本スキャンの画像データのみならずプレスキャンの画像データも合わせてオーダーデータとして保存しておくことが好ましい。
【００２８】
プリント処理制御部５ｂは、プリント処理の対象となるオーダーのオーダーデータをプリント処理するように指令を与える。図４は、オーダー管理画面の構成例を示す図であり、処理待ちオーダーのリストと、完了済みオーダーのリストが表示されている。処理待ちオーダーのリストには、基本的にはプリント処理が行なわれる順番にオーダーのリストが表示されている。状態表示欄には、オーダーの処理状態が示されており、１番上のオーダーがプリント処理中であること、その他のオーダーについてはプリント処理待ちの状態であることが示されている。プリント処理が完了すると、完了済みオーダーの表示欄へと移行し、状態表示もプリント処理完了に変わる。
【００２９】
オーダーデータ削除部５ｃは、プリント処理が完了したオーダーデータをスプーラ６ａから削除する。スプーラ６ａには、リオーダー用にスプーラ６ａの保存容量の所定％（例えば５０％）が確保されており、プリント処理が完了したオーダーデータは直ちに削除するのではなく、後日の焼き増しプリントの依頼に備えて所定期間保存しておくようにする。これにより、再度の画像データの取得やプレジャッジを繰り返さなくても済み、作業効率がよくなる。どの程度の期間保存しておくかについては、適宜設定することができる。リオーダー用の保存容量が少なくなってきた場合は、古いオーダーからデータを削除していくようにする。これにより、スプーラ６ａの保存容量を確保できるようにする。なお、リオーダー用の保存領域としては、スプーラ６ａでなくてもよく、記憶部６ｂやその他の大容量外部記憶装置を用いてもよい。
【００３０】
残容量判定部５ｄは、スプーラ６ａの保存容量の残容量が所定容量以下か否かを判定する。オーダー登録部５ａにより、新規のオーダーデータを保存しようとした場合、残容量が少ないとオーダーの新規登録ができなくなることがある。特に、特急仕上げすべきオーダーを登録しようとするときに、残容量が少ないために登録ができないと、納期通りに写真プリントの作成ができなくなることがある。そこで、残容量を常時監視するようにしておき、所定の残容量が確保できているか否かを判定する機能を設けている。
【００３１】
新規オーダーを登録しようとしたときに残容量がない場合には、その旨の表示をモニターにさせて登録ができないことをオペレータに知らせる。この場合は、保存容量が空くのを待つか、プリント処理済みの古いオーダーデータを削除するなどの対処を行なう。ただし、新規オーダーが特急仕上げのような高優先度の場合は、後述するような処理を行う。
【００３２】
優先度設定部５ｅは、登録しようとする新規オーダーの優先度を設定する。優先度として「特急仕上げ」「通常仕上げ」「ゆっくり仕上げ」の３段階があり、「特急仕上げ」は高優先度に相当し、「通常仕上げ」「ゆっくり仕上げ」は低優先度に相当する。優先度の設定は、この３段階でなくてもよく、例えば、「特急仕上げ」「通常仕上げ」の２段階でもよく、４段階以上に増やしてもよい。優先度の設定方法としては、例えば、モニター画面の新規オーダー登録ボタンをクリックすると、優先度選択画面がポップアップし、表示されているいずれかの優先度を選択させるようにすることができる。図４には、優先度を表示するため、Ａ，Ｂ，Ｃの符号が各オーダーについて表示されており、夫々「特急仕上げ」「通常仕上げ」「ゆっくり仕上げ」を示している。
【００３３】
低優先度オーダー選択部５ｆは、高優先度の新規オーダーを登録しようとするときに、残容量が少ない場合に低優先度の登録済みオーダーを選択する機能を有する。前述の残容量判定部５ｄは、高優先度の新規オーダーを登録するときに、保存可能な容量が確保できているか否かを判定する。この判定は、所定レベル以上の保存容量が空いているか否かを判定しても良いし、新規オーダーのデータ量と現在の残容量とを比較して、保存可能か否かを判定してもよい。残容量が少ないと判定された場合に、前述のように低優先度のオーダーが選択される。
【００３４】
選択された低優先度オーダーのオーダーデータの圧縮・解凍を行うために、圧縮・解凍ソフトウェア１８が設けられており、圧縮処理部１８ａと解凍処理部１８ｂを有する。圧縮処理部１８ａは、選択されたオーダーのオーダーデータに含まれる全画像データを圧縮処理する。これにより、データ量を少なくすることができ、残容量を増大させる。残容量が増大することで、残容量が少ない状態であっても、高優先度オーダーを登録することができるようになる。圧縮処理はオーダー単位で行なわれるため、データ量を大きく削減することができ、高優先度オーダーの登録を確実に行なうことができる。１オーダー分の圧縮処理では残容量が不足する場合、複数のオーダーを選択するようにしてもよい。
【００３５】
低優先度オーダーを選択するのは、顧客引渡し時間に対する余裕があるからであり、圧縮処理や解凍処理による処理時間についてほとんど考慮する必要がないため、プリント処理の効率を低下させることもない。低優先度オーダーを選択するに際して、選択可能な低優先度オーダーが複数存在する場合、例えば、最もオーダーデータのデータ量が大きなものを選択することが好ましい。これは、圧縮処理によるデータ量の削減が最も効果があると考えられるからである。あるいは、受付Ｎｏが最も新しいものを選択するなど、適宜のルールを定めておく。また、低優先度オーダーを選択する場合、圧縮処理されていない画像データにより構成されるオーダーを選択することが好ましい。例えば、ＪＰＥＧのような既に圧縮されている形式の画像データを更に圧縮処理してもデータ量の削減に関して大きな効果がないからである。従って、ｒａｗファイル、非圧縮のＴＩＦＦファイル、ＢＭＰファイルなどで保存された画像データを含むオーダーを選択することが好ましい。
【００３６】
また、圧縮処理を行う場合は可逆圧縮を行なうことが好ましい。これにより、データの劣化なく圧縮処理を行なうことができ、写真プリントの品質を落とさなくてもすむ。圧縮処理されたオーダーについては、プリント処理を行なう直前に解凍処理部１８ｂにて解凍を行った後、プリント処理が行われる。
【００３７】
図４の画面構成例について更に説明すると、画面右上に残容量が表示され、新規のオーダーを登録するときの目安にしたり、残容量の確認を行なうことができる。また、オーダー数として「１５」が表示されており、これはプリント処理待ちのオーダー数を示している。また、待ち時間として「２０分」が表示されており、プリント処理待ちのオーダーを全て処理するのに要する時間が表示されている。オペレータは、この表示を見て、新規のオーダーが処理されるおよその時間を認識することができる。
【００３８】
図２に戻り、モニター７は、プレジャッジを行なうための画面（図３参照）やオーダー管理画面等を表示させるものであり、プリント処理等を行うために必要な画面を提供する。入力操作部８は、キーボードやマウス等により構成され、プリント処理に必要なデータ入力や設定、各種指令を行う。
【００３９】
画像処理基板９は、スプーラ６ａから画像データと補正データを受け取り、補正データに基づいて画像データに対する画像処理を行い、写真プリントを作成するために用いられるプリント用画像データを生成する。画像処理基板９は、受信メモリ、処理回路部、展開メモリにより構成され、処理回路部において指定された画像処理が行なわれる。具体的には、補正データに基づく色・濃度の補正、設定されたプリントサイズに従ったデータの拡縮処理などである。
【００４０】
次に、図２においてプリント処理部の構成を簡単に説明する。ペーパーマガジン１０には、写真感光材料であるペーパーがロール状に収容されている。ペーパーマガジン１０は、２台を設置することができ、例えば、ペーパー幅の異なるペーパーを予めセットしておくことができる。ペーパーカッター１１は、ペーパーマガジン１０から引き出された長尺状のペーパーを設定されたプリントサイズになるように切断する。
【００４１】
露光エンジン１２は、画像処理基板９の展開メモリから送信されてくるプリント用画像データを受け取り、このプリント用画像データに基づいて、ペーパーの乳剤面に画像を焼付露光する。露光エンジン１２としては、特定の方式のものに限定されるものではなく、例えば、レーザーエンジン、ＣＲＴエンジン、ＰＬＺＴエンジンなどを用いることができる。
【００４２】
現像処理部１３は、画像が焼付露光されたペーパーの現像処理を行い、乾燥処理部１４は、現像処理されたペーパーの乾燥処理を行なう。ペーパー排出部１５から仕上がりの写真プリントが装置本体外部に排出され、所定の集積装置によりオーダー単位で集積される。
【００４３】
ペーパーセンサー１６は、ペーパー排出部１５から排出されるペーパーを検出し、あるオーダーの写真プリントが全て排出されたか否かを検出する。センサー制御部１７は、ペーパーセンサー１６の駆動制御を行なうと共に、ペーパーセンサー１６からの信号を受信して解析する。かかるペーパーセンサー１６を設けることで、オーダーのプリント処理が完了したか否かを判定することができる。プリント処理が完了したオーダーについては、図４に示すように完了済みオーダーのリストに移行する。
【００４４】
＜オーダー登録の手順＞
次に、新規オーダーを登録するときの手順を図５のフローチャートにより説明する。新規オーダーを登録するに際して、優先度の設定を行う（＃１）。次に、スプーラ６ａの残容量が少ないか否かを判定する（＃２）。新規オーダーのオーダーデータを保存するのに十分な容量が確保できている場合は、ステップ＃６に移行し、オーダーデータをスプーラ６ａに保存・登録する。残容量が少ない場合は、優先度が高いか低いかを判断する（＃３）。優先度が低いオーダーの場合は、必要な残容量が確保されるまで待機するか、プリント処理済みのオーダーデータを削除する（＃７）。図４の画面にも示されるように、削除ボタンが設けられており、完了済みオーダーの１つもしくは複数を選択して削除ボタンをクリックすることで、オーダーデータを削除することができる。保存容量を確保できた場合は、ステップ＃６に移行し新規オーダーを登録することができる。保存容量を確保できなければ、更にオーダーを選択して削除を続行する。なお、完了済みのオーダーの全てを削除するための全削除ボタンも設けられている。
【００４５】
ステップ＃３において、高優先度のオーダーの場合は、既に登録されているプリント処理待ちの低優先度オーダーの１つ（もしくは複数）を選択する（＃４）。そして、選択されたオーダーデータの画像データを圧縮処理し、スプーラ６ａに保存しなおす（＃５）。これにより、保存容量を確保する。低優先度オーダーを選択する場合には、登録しようとする新規オーダーのオーダーデータを確保することができるように、圧縮処理対象のオーダーの１つもしくは複数が選択される。画像データを圧縮処理した後、高優先度の新規オーダーを登録する（＃６）。
【００４６】
高優先度オーダーが登録された場合のプリント処理の順番の変化について図６により説明する。図６（ａ）は高優先度オーダーを登録する前を示し、（ｂ）は高優先度オーダーを登録した後を示す。高優先度オーダーは、現在プリント処理中のオーダーのすぐ次にプリント処理されるように、プリント処理の順番が決定される。優先度が同じオーダーについては、受け付けた順番にプリント処理が行なわれる。
【００４７】
＜プリント処理の手順＞
次にプリント処理の手順を図７のフローチャートにより説明する。プリント処理を行う場合に、まず画像データに圧縮処理部１８ａによる圧縮処理が行われたか否かを判定する（＃１１）。圧縮処理を行なっていなければ、スプーラ６ａから必要なデータを読み出し、プリント処理を行なうことができる。（＃１３）。画像データに圧縮処理を行なっていた場合は、画像データの解凍処理を行う（＃１２）。以下同様にプリント処理を行なうことができる。
【００４８】
＜別実施形態＞
本実施形態において、オーダーデータに含まれる画像データと付帯データのうち、画像データのみを圧縮処理するようにしているが、付帯データも含めたオーダーデータの全体を圧縮処理するように構成してもよい。
【００４９】
本実施形態において、ネガフィルムからプリント処理を行なうオーダーと、受付端末２０で注文を受け付けた記録メディアからのプリント処理を行なうオーダーとを混在させて処理することもできるが、これを別々に行なわせることもできる。すなわち、写真処理装置１００におけるプリント処理モードとして、通常モードとネットモードを切り換えるようにし、通常モードでは写真処理装置１００自身で受け付けたネガフィルムからのプリント処理のみを行なうようにし、ネットモードでは受付端末２０やネット受付端末５０で受け付けたオーダーのプリント処理のみを行なうように構成してもよい。この場合は、夫々のモードにおいて本発明の構成を適用することができる。また、夫々のモード用にスプーラ６ａを別々に設けてもよい。
【図面の簡単な説明】
【００５０】
【図１】写真処理システムの構成を示す概念図
【図２】写真処理装置の機能を示すブロック図
【図３】プレジャッジ画面の構成例を示す図
【図４】オーダー管理画面の構成例を示す図
【図５】新規オーダーを登録するときの手順を示すフローチャート
【図６】高優先度オーダーが登録された場合のプリント処理の順番の変化を示す図
【図７】プリント処理を行なうときの手順を示すフローチャート
【符号の説明】
【００５１】
４        画像判定部
５        オーダー制御部
５ａ      オーダー登録部
５ｂ      プリント処理制御部
５ｃ      オーダーデータ削除部
５ｄ      残容量判定部
５ｅ      優先度設定部
５ｆ      低優先度オーダー選択部
６        記憶装置
６ａ      スプーラ
６ｂ      記憶部
１８      圧縮・解凍ソフトウェア
１８ａ    圧縮処理部
１８ｂ    解凍処理部
２０      受付端末
４０      記録装置
５０      ネット受付端末
１００    写真処理装置
【図１】
2007094965.tif 000003
【図２】
2007094965.tif 000004
【図３】
2007094965.tif 000005
【図４】
2007094965.tif 000006
【図５】
2007094965.tif 000007
【図６】
2007094965.tif 000008
【図７】
2007094965.tif 000009